(57)【要約】【課題】  植生マット５０と保水排水基盤材１および人工地盤（傾斜屋根３０）との固定を堅固なものとし、強風時などに不用意に植生マットが剥がれることを防止した人工地盤上の緑化構造物を得る。また、長期にわたる潅水や保水をも可能とする。【解決手段】  傾斜屋根３０のような人工地盤上に保水排水基盤材１を用いて植栽するに際し、保水用凹部７を有する保水排水基盤材１を覆うようにして透水性シート３１を釘３２等で固定する。その上面に植物５１の根５３が絡み合うことによって土壌５２を保持してなる植生マット５０を載置して植生する。根５３が透水性シート３１に絡みついて透水性シート３１と一体化することによって、保水排水基盤材１と透水性シート３１と土壌５２と植物５１とが一体化し、安定化する。【選択図】  図１
2005261294.tif 000002
【特許請求の範囲】
【請求項１】
人工地盤上に保水排水基盤材を用いて植栽する緑化方法であって、保水用凹部を有する保水排水基盤材を覆うようにして保水排水基盤材に透水性シートを固定し、その上面に植物の根が絡み合うことによって土壌を保持してなる植生マットを配置して植生することにより、客土を使用することなく植栽し、植物の根が透水性シートに絡みついて透水性シートと一体化することによって、保水排水基盤材と透水性シートと土壌と植物を一体化させることを特徴とする人工地盤上での緑化方法。
【請求項２】
人工地盤の保水排水基盤材載置面が傾斜面であることを特徴とする請求項１に記載の人工地盤上での緑化方法。
【請求項３】
保水排水基盤材として上面が階段状となっているものを用いることを特徴とする請求項２に記載の人工地盤上での緑化方法。
【請求項４】
透水シートとして複数個の保水排水基盤材を覆うことのできる大きさのものを使用し、透水シートを保水排水基盤材に固定することにより、複数個の保水排水基盤材同士も一体化されることを特徴とする請求項１〜３のいずれかに記載の人工地盤上での緑化方法。
【請求項５】
保水排水基盤材を人工地盤に固定することによって、保水排水基盤材と透水性シートと土壌と植物と人工地盤の全体を一体化させることを特徴とする請求項４に記載の人工地盤上での緑化方法。
【請求項６】
人工地盤が傾斜屋根であることを特徴とする請求項１〜５のいずれかに記載の人工地盤上での緑化方法。
【請求項７】
保水排水基盤材として透水シート下の空間がすべて連通した状態となり得る形状のものを使用することを特徴とする請求項１〜６のいずれかに記載の人工地盤上での緑化方法。
【請求項８】
保水排水基盤材として、周壁と、一枚以上の第１隔壁と、第１隔壁と交差する１枚以上の第２隔壁とにより複数個の保水用凹部が区画されており、第１隔壁で区画されて横方向に配列する２個以上の保水用凹部により単位保水部が形成され、該単位保水部は第２隔壁を介して縦方向に２列以上配列しており、単位保水部を構成する各保水用凹部を区画する各第１隔壁には第１導水溝が形成されていてそこを溢流して流れる水により各保水用凹部は所定の保水量に保持されるようになっており、第２隔壁には隣接する上流側の単位保水部の少なくとも１個の保水用凹部と下流側の単位保水部の少なくとも１個の保水用凹部を繋ぐ少なくとも１個の第２導水溝が形成されていてそこを溢流する水により上流側の単位保水部の水が下流側の単位保水部に流入するようになっている保水排水基盤材を用いることを特徴とする請求項１に記載の人工地盤上での緑化方法。
【請求項９】
人工地盤上に配置された保水排水基盤材と、保水排水基盤材を覆うようにしてそこに固定された透水性シートと、透水性シートの上面に載置された植物の根が絡み合うことによって土壌を保持してなる植生マットとを少なくとも有し、前記植生マットを客土を使用することなく透水性シート上に配置して植栽し、植生マットの植物の根が透水性シートに絡みついて透水性シートと一体化することによって、保水排水基盤材と透水性シートと土壌と植物とが一体化していることを特徴とする人工地盤上での緑化構造物。
【請求項１０】
人工地盤が傾斜屋根であることを特徴とする請求項９に記載の人工地盤上での緑化構造物。
【請求項１１】
最上位に位置する保水排水基盤材に対して給水する給水手段を備えるとを特徴とする請求項１０に記載の人工地盤上での緑化構造物。
【請求項１２】
保水排水基盤材の外周縁に沿う見切り材を備えることを特徴とする請求項９〜１１のいずれかに記載の人工地盤上での緑化構造物。
【請求項１３】
植生する植物が、セダム類、じゃのひげ、ミント類、ローズマリー、タイム類、ヒメイワダレソウ、ヒメツルソバ、ビンカ類、アジュガ類、宿根バーベナ、リシマキアナカテンヌンムラリア、ポテンティラ、クローバー、キク類、エリゲロン、ナデシコ類、オレガノ、スゲ類、ヘデラ類、リンデルニア、ヒメノボタン、ユーパトリウム、ミューレンベッキア、サントリナ、ノシラン、フッキソウ、オキザリス類、ロニセラ、シモツケ、イボタの木類、ツルマサキ、ハクチョウゲ、テイカカズラ類、サワラ類、ビャクシン類、芝類、コトネアスター、ツツジ類、ツゲ類、アベリア、サルスベリ、レンギョウ、メギ、ユキヤナギ、アガパンサス、ヨモギ類、アヤメ類、ガウラ、ガザニア、へメロカリス類、ユキノシタ、ルドベキア類、のいずれかである請求項９〜１２のいずれかに記載の人工地盤上での緑化構造物。
【請求項１４】
周壁と、一枚以上の第１隔壁と、第１隔壁と交差する１枚以上の第２隔壁とにより複数個の保水用凹部が区画されており、第１隔壁で区画されて横方向に配列する２個以上の保水用凹部により単位保水部が形成され、該単位保水部は第２隔壁を介して縦方向に２列以上配列している保水排水基盤材であって、単位保水部を構成する各保水用凹部を区画する各第１隔壁には第１導水溝が形成されていてそこを溢流して流れる水により各保水用凹部は所定の保水量に保持されるようになっており、第２隔壁には隣接する上流側の単位保水部の少なくとも１個の保水用凹部と下流側の単位保水部の少なくとも１個の保水用凹部を繋ぐ少なくとも１個の第２導水溝が形成されていてそこを溢流する水により上流側の単位保水部の水が下流側の単位保水部に流入するようになっていることを特徴とする保水排水基盤材。
【請求項１５】
第１導水溝の底部は第２導水溝の底部よりも深い位置とされていることを特徴とする請求項１４に記載の保水排水基盤材。
【請求項１６】
周壁にも第１導水溝およびまたは第２導水溝が形成されていることを特徴とする請求項１４または１５に記載の保水排水基盤材。
【請求項１７】
２つ以上の保水排水基盤材が周壁同士を密接した状態で配置できるように、周壁に接合のための手段が形成されていることを特徴とする請求項１４〜１６のいずれかに記載の保水排水基盤材。
【請求項１８】
底面と上面とがほぼ平行な面であることを特徴とする請求項１４〜１７のいずれかに記載の保水排水基盤材。
【請求項１９】
隣接する単位保水部が階段状に配列している箇所を少なくとも一箇所に有していることを特徴とする請求項１４〜１８のいずれかに記載の保水排水基盤材。
【請求項２０】
底面と階段状をなす上面を延長した仮想平面が角度を持って交差するようにされていることを特徴とする請求項１９に記載の保水排水基盤材。
【請求項２１】
素材が樹脂発泡体であることを特徴とする請求項１４〜２０のいずれかに記載の保水排水基盤材。
【発明の詳細な説明】
【技術分野】
【０００１】
本発明は、例えば、工場や一般住宅の傾斜したあるいは平らな屋根の上あるいはテラスなどの人工地盤上に植生用の保水排水基盤材を配置し、それを利用して人工地盤上を緑化するための方法と緑化された緑化構造物に関する。また、本発明はそこで用いる保水排水基盤材に関する。
【背景技術】
【０００２】
近年、都市緑化の一環として、あるいはヒートアイランド対策として、工場や一般住宅の傾斜したあるいは平らな屋根の上やテラスなどのように、自然の土壌面ではなく、表面が土壌でない人工的に造られた斜面や平面（本発明でこのような面を「人工地盤」という）の上に客土を敷き、そこで植物を栽培することが行われる。人工地盤は保水性と排水性とを同時に確保するのが困難であり、その上の客土を植生に適した状態で維持管理することは容易でない。
【０００３】
１つの解決策として、特許文献１（特開平７−８１１１号公報）には、不織布の上に培土（客土）を載置し、この培土に芝のような地被植物を植生し、根を培土を通して不織布に絡みつかせて一体化した地被マットを、人工地盤上に配置した基盤に対して、着脱自在な係合手段を介して載置するようにして緑化構造物が記載されている。
【０００４】
また、人工地盤での保水性と排水性とを同時に確保するとを目的に、軽量化と断熱性を考慮して発泡ポリスチレンのような樹脂発泡体で作られた植生用の保水排水基盤材を人工地盤の上に配置し、その上で植生することも行われる。そのような保水排水基盤材の一例が特許文献２（特開２００１−１６９６６５号公報）に記載される。この保水排水基盤材７０は傾斜面で使用することを目的としており、図１３に示すように、人工地盤に配置したときに水平姿勢となる保水用凹部７１が縦横に走る排水溝７２を挟んで多数形成されており、また、側面には縦排水溝７３が、底面には排水通路７４が形成されている。各保水用凹部７１は周壁７５で区画されてそれぞれ独立している。散水によりあるいは降雨により、各保水用凹部７１には一定量の水が確保され、オーバーフローした水は排水溝７２，縦排水溝７３、排水通路７４を通して、速やかに排出される。各保水用凹部７１には空間を保って透水性シート（不図示）を支持するための突起７６が形成されている。
【０００５】
また、特許文献３（特開平６−２２５６２７号公報）には、屋上などの平らな面に配置する植物植生用パネルが記載される。このパネルでは、土壌との間に空間を得るために多数の山形突起が形成され、また、その間に多数の排水溝が形成されている。保水部は山形突起の斜面に形成された多数の凹部であり、凹部に溜まった分以外の雨水は斜面を流下して排水溝から排水される。
【０００６】
さらに、特許文献４（特開２００２−９５３４８号公報）には、屋根面を被覆するように敷設した断熱材の上に植裁装置を配置した屋根緑化構造が記載されている。その断熱材は保水排水および通気性能を保持しており、棟側から（傾斜面上部）軒側（傾斜面下部）に向かって保水用凹部を並列させ、それぞれが縦方向排水溝にて連結するようにしている。
【０００７】
【特許文献１】特開平７−８１１１号公報
【特許文献２】特開２００１−１６９６６５号公報
【特許文献３】特開平６−２２５６２７号公報
【特許文献４】特開２００２−９５３４８号公報
【発明の開示】
【発明が解決しようとする課題】
【０００８】
特許文献１に記載の緑化構造物は、地被マットの培土が有る程度の保水性を有しており、屋根のような人工地盤上を簡易に緑化できる。しかし、長期にわたる潅水や保水もしくは余剰水に対する配慮はなされてなく、恒久的な人工地盤や屋上などの緑化構造物として使用するには、別途、保水排水機能を備えた資材や潅水システムを用意することが必要となる。また、地被マットを基盤から着脱するに際して、地被マットに使用されている培土が基盤の上に落下して基盤と係合手段との固定力が弱くなり、強風時などに、人工地盤から地被マットが不用意に剥がれることが起こり得る。
【０００９】
特許文献２に記載されるような保水排水基盤材を人工地盤の上に配置し、その上で植生を行うことにより、人工地盤上での恒久的な緑化が可能となる。しかし、上記の保水排水基盤材を用いた植物栽培では、すべての保水用凹部に常時一定量の水が貯留されていることが望まれ、部分的に保水量が少ないあるいは保水されていない場所が生じると、その近傍の植物は成育障害が発生する。図１３に示す形態の保水排水基盤材において、各保水用凹部は独立しており、１つの保水用凹部からあふれ出た水はそのまま排水溝から排出される。そのために、すべての保水用凹部に等しく行き渡るように散水あるいは給水することが必要であり、その作業は容易でない。
【００１０】
また、散水による場合でも、給水による場合でも、当然に無駄に排水されてしまう水が多く生じることから、夏場の渇水期においては、特に注意を払うことが必要となる。さらに、外気環境に応じて、あるいは植物の種類や植生態様に応じて、植物の消費する水の量は異なってくるので、必要とされる水量を無駄なく給水することが求められるが、すべての保水用凹部に個々に給水することが必要とされる上記形態の保水排水基盤材では、それを効率よく実行することは容易でない。
【００１１】
特許文献３および特許文献４に記載のものも同様であり、１つの保水用凹部からあふれ出た水は最も低い排水溝を通してそのまま排水され、他の保水用凹部に行き渡ることはない。降雨による給水を期待する場合には特に問題はないが、ホースによる給水を行う場合には、図１３に示した植生用保水排水基盤材の持つ課題と同じ課題を持つ。
【００１２】
本発明は、上記のような事情に鑑みてなされたものであり、植生マットと保水排水基盤材あるいは人工地盤との固定力を堅固なものとして、強風時などに不用意に植生マットが剥がれることを防止することを目的とする。また、他の目的は、長期にわたる潅水や保水を可能とし、屋根や屋上のような人工地盤上を恒久的にかつ安定して緑化することのできる、人工地盤上での緑化方法および緑化構造物を提供することにある。さらに、他の目的は、上記の緑化方法および緑化構造物に用いることのできる保水排水基盤材であって、複数個ある保水用凹部に対して、１箇所からの給水でもって等しく給水をすることができ、それにより、給水作業を容易かつ簡素化できると共に、水の無駄遣いを少なくすることのできるようにした、より改良された保水排水基盤材を提供することを目的とする。
【課題を解決するための手段】
【００１３】
本発明は、人工地盤上に保水排水基盤材を用いて植栽する緑化方法であって、保水用凹部を有する保水排水基盤材を覆うようにして保水排水基盤材に透水性シートを固定し、その上面に、植物の根が絡み合うことによって土壌を保持してなる植生マットを配置して植生することにより、客土を使用することなく植栽し、植物根が透水性シートに絡みついて透水性シートと一体化することによって、保水排水基盤材と透水性シートと土壌と植物を一体化させることを特徴とする。
【００１４】
本発明において、人工地盤の例として、工場や一般家屋の屋根、建物の屋上やベランダあるいはテラス、屋外でのコンクリート打設面であって緑化が望まれるような場所、地下駐車場、地下貯水場、排水処理場などの地下構造物の地表面などが挙げられる。人工地盤は水平面であってもよく、傾斜面であってもよい。
【００１５】
本発明において、保水排水基盤材は保水用凹部を有することを条件に任意の保水排水基盤材であってよい。軽量性や断熱性などの観点から樹脂発泡体の一体成形品、特に、成形性や強度の観点から発泡ポリスチレンの成形品であることが望ましいが、設置の対象となる人工地盤が重量に制限を受けないような場所であるときには、非発泡の合成樹脂、コンクリートや気泡モルタルなどで製造してもよい。
【００１６】
本発明において、透水性シートは、植物の根が絡み合うことによって土壌を保持してなる植生マットをその上面に配置して植生することにより、植物の根が透水性シートに絡みつき透水性シートと一体化するものであればよい。植物の根は透水性シート内に留まっている状態でもよく、透水性シートを通過して保水排水基盤材側に伸び出た状態でもよい。しかし、根が保水排水基盤材側に伸びすぎると、保水排水基盤材での水の流れを阻害する要因となるので、そのような状態とならないように植物あるいは透水性シートの種類を選択することが望ましい。
【００１７】
透水性シートの材料としては、織布、不織布、樹脂繊維による網状物、複数の穴を配列した樹脂シート、金網のようなものが好適であるが、不織布は特に好ましい。透水性はあるが植物の根は通過させないようにされた不織布であってもよい。
【００１８】
本発明において透水性シートは、さらに、植生マットと保水排水基盤材の保水用凹部との間に空間を確保して植物の根の呼吸を妨げないようにすること、保水用凹部内の水が湿気となって植生マット中の植物の根に効果的に到達できるようにすること、雨水や散水が過剰に植生マット中に滞留せずに流下できるようにすること、保水排水基盤材が樹脂発泡体製のものである場合、日光の直射による劣化を防止すること、などの作用効果をも有している。
【００１９】
本発明において、好ましくは、透水性シートは保水排水基盤材の形状に沿うようにして忠実に覆われかつ固定される。固定手段は保水排水基盤材の素材との関係から適宜のものを選択すればよいが、例えば保水排水基盤材が樹脂発泡体製のものである場合には、接着剤、釘、面ファスナーのような手段で固定すればよい。
【００２０】
本発明の人工地盤上での緑化方法によれば、保水排水基盤材を覆うようにして固定された透水性シートに植生マット中の植物の根が絡みついて一体化することから、保水排水基盤材と透水性シートと土壌と植物とはしっかりと一体化される。そのために、例えば屋上での植生において強い風が吹き付けるような場合でも、全体として安定しており、不用意に植生マットが剥離するようなことはない。それにより、効果的な人工地盤上での緑化を完成することができる。
【００２１】
人工地盤が傾斜面である場合に、保水排水基盤材として上面が階段状となっているものを用いることは、作業のし易さおよび安定性の点から好ましい。その際に、透水性シートは保水排水基盤材の階段となった側面を含む全面ではなく、水平な面部分のみを覆うようにしてもよい。一方、植物の生育が十分でない間、保水排水基盤材の階段となった側面が日光の照射を受けることとなり、保水排水基盤材が樹脂発泡体製のものである場合、紫外線による劣化が生じることも考えられる。それを回避することが望ましい場合には、階段となった側面を含む全表面を透水性シートで覆うことが望ましい。
【００２２】
好ましくは、透水性シートとして複数個の保水排水基盤材を覆うことのできる大きさのものを使用して透水性シートを保水排水基盤材に固定する。それにより、複数個の保水排水基盤材同士が一体化されるようになり、緑化構造物の安定性はより向上する。さらに、保水排水基盤材を適宜の手段により人工地盤に固定して保水排水基盤材と透水性シートと土壌と植物と人工地盤の全体を一体化させることによって、一層長期にわたる安定化を確保できる。
【００２３】
本発明は、また、上記の方法により造られる人工地盤上での緑化構造物として、人工地盤上に配置された保水排水基盤材と、保水排水基盤材を覆うようにして保水排水基盤材に固定された透水性シートと、透水性シートの上面に載置された植物の根が絡み合うことによって土壌を保持してなる植生マットとを少なくとも有し、前記植生マットを客土を使用することなく透水性シート上に配置して植栽し、植生マットの植物の根が透水性シートに絡みついて透水性シートと一体化することによって、保水排水基盤材と透水性シートと土壌と植物とが一体化していることを特徴とする人工地盤上での緑化構造物、をも開示する。
【００２４】
人工地盤に制限はなく上記緑化方法の説明で記載した任意の人工地盤であってよいが、人工地盤が傾斜屋根であることは、本発明の所期の目的を一層効果的に発揮できることから、特に好ましい。その際に、最上位に位置する保水排水基盤材に対して給水する給水手段を備えることにより、長期にわたる植生を容易に行うことが可能となる。
【００２５】
また、本発明による人工地盤上での緑化構造物は、それ自体で安定したものとなるが、保水排水基盤材の外周縁に沿うようにしてさらに見切り材を配置することは好ましく、それにより、人工地盤上に配置した複数個の保水排水基盤材の安定性をさらに向上させることができる。また、外観上の見栄えも向上する。さらに、透水性シートを見切り材を利用して保水排水基盤材との間で固定することにより、全体的な安定性をさらに確実にすることができる。
【００２６】
上記した本発明による人工地盤上での緑化方法および緑化構造物において、使用する保水排水基盤材の構成に特に制限はない。しかし、保水排水基盤材として、周壁と、一枚以上の第１隔壁と、第１隔壁と交差する１枚以上の第２隔壁とにより複数個の保水用凹部が区画されており、第１隔壁で区画されて横方向に配列する２個以上の保水用凹部により単位保水部が形成され、該単位保水部は第２隔壁を介して縦方向に２列以上配列しており、単位保水部を構成する各保水用凹部を区画する各第１隔壁には第１導水溝が形成されていてそこを溢流して流れる水により各保水用凹部は所定の保水量に保持されるようになっており、第２隔壁には隣接する上流側の単位保水部の少なくとも１個の保水用凹部と下流側の単位保水部の少なくとも１個の保水用凹部を繋ぐ少なくとも１個の第２導水溝が形成されていてそこを溢流する水により上流側の単位保水部の水が下流側の単位保水部に流入するようになっている保水排水基盤材、を用いることは好ましい。
【００２７】
上記の保水排水基盤材では、少なくとも１箇所の保水用凹部に対してホースにより給水すれば、給水された水は、そこを満水とした後、第１隔壁に形成した第１導水溝を溢流して横に隣接する次の保水用凹部に流入し、そこを満水とする。以下、これが順次繰り返され、横方向に配列するすべての保水用凹部は満水となり、当該単位保水部への給水は完了する。前記単位保水部を満水とした水は、当該単位保水部同士を区画する第２隔壁に形成した第２導水溝を溢流して隣接する単位保水部の保水用凹部に流入する。流入開始時点は、第２隔壁に形成する第２導水溝の深さに律せられる。
【００２８】
第１導水溝と第２導水溝とが同じ深さとされている場合には、当該第２導水溝が面する保水用凹部が満水となると同時に、隣接する単位保水部への流入が開始する。第１導水溝の底部が第２導水溝の底部よりも深い位置とされている場合は、そのレベルまで上流側単位保水部のすべての保水用凹部の水位が上昇した時点で、下流側単位保水部への流入が開始する。下流の単位保水部では、上流側の単位保水部において進行したと同様にして各保水用凹部への給水が進行する。
【００２９】
以下、その給水態様が、すべての単位保水部において繰り返される。このようにして、１箇所からの給水でもって複数個ある保水用凹部に等しく給水をすることができるので、給水作業はきわめて容易となる。
【００３０】
第２隔壁に形成する第２導水溝は１個あればよい。下流の単位保水部への給水速度は第２隔壁に形成する第２導水溝の数に律せられるので、実際の植生環境を考慮して適宜定めればよい。
【００３１】
すべての単位保水部の保水用凹部への給水が完了した時点で、保水用凹部の水位は等しくなり、その過程で無駄に排水される水はない。この時点で、ホースからの給水を停止してもよく、わずかに供給を継続しておいてもよい。植生環境から消費水量が予測できる場合には、それに応じた量の水を連続的に給水するように給水栓の開度を調整すれば、無駄のない状態で良好な植生環境を維持することができる。通常は、最下流の単位保水部に所定水位レベルを維持できるようにした排水路を設けておき、給水の一部を連続的に排水する。それにより、植物が必要とする水量が一時的に急増するような場合に、植生に悪影響を与えるのを回避できる。
【００３２】
降雨により、あるいは何らかの事情により散水を行うことにより、多量の水が保水排水基盤材に供給された場合でも、周囲の隔壁の高さまでしか貯水されないので、植物の根腐れが生じることはない。
【００３３】
上記の保水排水基盤材において、周壁にも第１導水溝およびまたは第２導水溝を形成するようにしてもよい。この形態では、横方向および縦方向に任意の数の保水排水基盤材を周壁同士が密接した状態で配置することにより、大きな面積の植生エリアを確保することができる。その場合、最も外側となる保水排水基盤材の外周壁部には第１導水溝およびまたは第２導水溝を形成しないようにするか、形成したものを用いる場合には、適宜の手段によりそこを閉鎖することが望ましい。それにより水が不必要に排水されるのを防止でき、水の無駄をなくすことができる。さらには、周壁に接合のための手段を形成するようにすれば、取り付け態様を安定させることができる。
【００３４】
上記の保水排水基盤材は、底面と上面とがほぼ平行な面となっていてもよく、一方が他方に対して傾斜した面となっていてもよい。また、いずれの場合も、すべての単位保水部の上端面は同じ平面内に位置していてもよく、階段状に高さを異にして位置する部分があってもよい。
【００３５】
上記の保水排水基盤材は、軽量性や断熱性などの観点から樹脂発泡体の一体成形品、特に、成形性や強度の観点から発泡ポリスチレンの成形品であることが望ましいが、設置の対象となる人工地盤が重量に制限を受けないような場所であるときには、非発泡の合成樹脂、コンクリートあるいは気泡モルタルなどで製造してもよい。
【００３６】
水平な人工地盤の上に、底面と上面とがほぼ平行な面である上記保水排水基盤材を設置する場合には、任意の場所の保水用凹部に給水手段から給水してもよいが、短時間ですべてに給水が進行するように、できるだけ中央に位置する保水用凹部から給水することが望ましい。もちろん、給水箇所は１箇所に限る必要はなく、複数箇所で行ってもよい。複数の保水用凹部に対向する位置に給水口を設けた給水ホースを常設するようにしてもよい。
【００３７】
水平な人工地盤の上に、上面が階段状になった上記の保水排水基盤材を設置する場合には、上位に位置する単位保水部のいずれか１個あるいは複数個の保水用凹部に給水する。傾斜した人工地盤に保水排水基盤材を設置する場合も同様であり、上位に位置する単位保水部のいずれか１個あるいは複数個の保水用凹部に対して給水手段からの給水を行う。
【００３８】
なお、上記の保水排水基盤材は、前記した本発明による人工地盤上での緑化方法および緑化構造物において効果的に用いることができるが、これに限らず、他の任意のおよび従来知られた緑化方法あるいは緑化構造物における保水排水基盤材として、あるいはそこで使用されている保水排水基盤材に換えて、用いることができることは当然である。
【００３９】
本発明において、植物の根が絡み合うことによって培地を保持した姿勢を維持することのできる植生する植物として、セダム類、じゃのひげ、ミント類、ローズマリー、タイム類、ヒメイワダレソウ、ヒメツルソバ、ビンカ類、アジュガ類、宿根バーベナ、リシマキアナカテンヌンムラリア、ポテンティラ、クローバー、キク類、エリゲロン、ナデシコ類、オレガノ、スゲ類、ヘデラ類、リンデルニア、ヒメノボタン、ユーパトリウム、ミューレンベッキア、サントリナ、ノシラン、フッキソウ、オキザリス類、ロニセラ、シモツケ、イボタの木類、ツルマサキ、ハクチョウゲ、テイカカズラ類、サワラ類、ビャクシン類、芝類、コトネアスター、ツツジ類、ツゲ類、アベリア、サルスベリ、レンギョウ、メギ、ユキヤナギ、アガパンサス、ヨモギ類、アヤメ類、ガウラ、ガザニア、へメロカリス類、ユキノシタ、ルドベキア類、などを挙げることができる。
【発明の効果】
【００４０】
本発明によれば、人工地盤上での緑化構造物において、植生マットと保水排水基盤材あるいは人工地盤との固定を堅固なものとして、強風時などに不用意に植生マットが剥がれることを防止できる。また、保水排水基盤材の形状を選択することにより、長期にわたっての安定した潅水や保水が可能となり、屋根や屋上のような人工地盤上を恒久的にかつ安定して緑化することができる。
【００４１】
また、本発明による保水排水基盤材を用いることにより、１箇所からの給水でもって複数個ある保水用凹部に等しく給水をすることができるので、人工地盤上での緑化構造物において、給水作業を容易かつ簡素化でるきと共に、水の無駄遣いを少なくすることができる。
【発明を実施するための最良の形態】
【００４２】
以下、本発明を実施の形態に基づき説明する。図１は本発明による人工地盤上での緑化方法により構築された緑化構造物の一例を示す断面図と部分拡大図であり、図２は他の実施形態の緑化構造物を示す断面図と部分拡大図である。図３〜図５は、図１に示した緑化構造物で使用した保水排水基盤材を示しており、図３はその斜視図、図４は平面図、図５は図４のａ−ａ線による断面図である。また、図６は給水順を説明している。図１０〜図１２は、図２に示した緑化構造物で使用した保水排水基盤材を示しており、図１０は斜視図、図１１は平面図、図１２は図１１のａ−ａ線による断面図である。
【００４３】
図１において、人工地盤は傾斜屋根３０であり、その上に、後に図３〜図５に基づき説明する複数枚の保水排水基盤材１が載置される。ここでは、上下方向（縦方向）に保水排水基盤材１が４段に接続され、横方向にも必要に応じて接続されている。保水排水基盤材群の周囲は、下辺見切り材４１、上辺見切り材４２、側面見切り材４３により囲まれており、各見切り材を適宜の手段により傾斜屋根３０に固定することによって、保水排水基盤材群の安定化を図っている。個々の保水排水基盤材１を釘などにより傾斜屋根３０に固定してもよい。このような見切り材を配置することにより、緑化構造物全体を周囲とはっきりと区画することができ、全体の外観性も向上する。
【００４４】
保水排水基盤材群の全体を覆うようにして、透水性シートである好ましくは不織布３１が釘３２などの手段を用いて保水排水基盤材１に固定される。図１の例では保水排水基盤材１の上面は階段状となっているが、不織布３１はそのような外郭形状に沿うようにして忠実に覆われる。また、保水排水基盤材群が上記見切り材４１、４２、４３で囲まれている部分では、その間に不織布３１の端部を挟み込むようにして固定する。それにより、不織布３１と保水排水基盤材群との一体性は確実に確保される。なお、階段状となっている部分部の垂直な側面部分を不織布３１で覆わないようにしてもよい。その場合には、降水あるいは散水が不織布３１を伝った下方に急激に流下してしまうのを防ぐことができる。
【００４５】
そのようにして固定された不織布３１の上に、植物５１の根５３が絡み合うことによって土壌５２を保持してなる植生マット５０を載置する。図１の例では保水排水基盤材１は上面が階段状となっており、階段の平面部分に植生マット５０が置かれる。植生当初は階段の垂直な側面は露出しているが、図示の例ではその部分も不織布３１により覆われており、保水排水基盤材１が発泡樹脂製のものであっても、日光などの外因により劣化することはない。
【００４６】
その後、保水排水基盤材１の保水用凹部７に給水し、植物５１の成長を待つ。植物５１の根５３は次第に成長し不織布３１に絡みつくようになる。それにより、植生マット５０と不織布３１は一体化して安定する。不織布３１は保水排水基盤材１に固定されており、保水排水基盤材群は傾斜屋根３０に固定されている。そのために、植生が進んだ段階で、保水排水基盤材１と不織布３１と土壌５２と植物５１と傾斜屋根３０とは一体化した状態となり、人工地盤である傾斜屋根３０上に安定した緑化構造物が形成される。なお、植物の根５３は不織布３１内に留まっている状態でもよく、図示のように、不織布を通過して一部が保水用凹部７内に伸び出た状態であってもよい。しかし、根３１が保水用凹部７に充満してしまうと、保水排水基盤材１での水の流れを阻害する要因となるので、そのような状態とならないように注意して緑化を行うことが望まれる。
【００４７】
保水排水基盤材１の望ましい貯水量は、植生しようとする植物５１の蒸散量によって異なってくるが、例えば、ミント類は夏場７〜８リットル／ｍ２、セダム類は３リットル／ｍ２程度であり、潅水作業の省力化から２日に１回程度の潅水を行うこととして、１０〜１５リットル／ｍ２程度であることが望ましい。
【００４８】
また、図示しないが、保水用凹部７内に透水性シートである不織布３１に達する導水材、すなわち、水の表面張力により上部に水を供給する機能を持つ材料）を設けることもできる。それにより、保水用凹部７の水を確実に不織布３１側に供給することができるようになる。導水材には、紐、スポンジ、発泡性合成樹脂、織布、不織布、などを用いることができる。
【００４９】
図２の例では、後に図１０〜図１２に基づき説明する平坦な形状の保水排水基盤材１Ａが、傾斜屋根３０の上に配置されている。保水排水基盤材群は、図１に示したものと同様に、透水性シートである不織布３１で覆われており、かつ不織布３１は釘３２で固定されている。また、周囲は見切り材４１、４２、４３で囲われている。
【００５０】
この場合も、固定された不織布３１の上に植生マット５０を置き、保水排水基盤材１Ａの保水用凹部７に給水して、植物５１の成長を待つ。時間と共に、植物５１の根５３は不織布３１に絡みつくようになり、植生マット５０と不織布３１は一体化する。結果として、保水排水基盤材１Ａと不織布３１と土壌５２と植物５１と傾斜屋根３０とは一体化した状態となり、図１の例と同様に、人工地盤である傾斜屋根３０上に安定した緑化構造物が形成される。
【００５１】
なお、透水性シートである不織布３１は、植物５１の根５３が絡みついて植生マット５０と一体化する機能を果たすことに加え、土壌５２が保水排水基盤材１の保水用凹部７内に入り込むのを防止して、植生マット５０と保水用凹部７内の水との間に空間を確保する機能をも果たす。それにより、植物５１の根５３の呼吸は確保される。また、不織布３１は、保水用凹部７内の水が、湿気となって、あるいは前記した図示しない導水材を経由して、植生マット５０中の根５３に効果的に到達するのを助けると共に、雨水や植物への散水が過剰に植生マット５０に滞留するのを防止する機能をも果たす。
【００５２】
図１の実施形態で用いた保水排水基盤材１について説明する。保水排水基盤材１は全体が発泡樹脂（例えば発泡ポリスチレン）の一体成形品であり、図示のように、複数（図では４個）の単位保水部２（２ａ〜２ｄ）が、その上面が水平かつ互いに平行となるようにして階段状に形成されている。図５に示すように、各単位保水部２ａ〜２ｄの上面を延長した仮想平面Ｌ１と底面３を延長した仮想平面Ｌ２とは角度αで交差しており、従って、傾斜角度がαである人工地盤（例えば、傾斜屋根３０）の上にこの保水排水基盤材１を載置すると、単位保水部２ａ〜２ｄの上面はすべて水平姿勢となる。
【００５３】
保水排水基盤材１は、後周壁４ａ，右周壁４ｂ，前周壁４ｃ，左周壁４ｄからなる周壁４により外周が区画されており、さらに、後周壁４ａと前周壁４ｃとの間に位置する３枚の横方向に走る第２隔壁５ａ〜５ｃにより、内部が前記した４つの単位保水部２ａ〜２ｄに区分けされている。単位保水部２ａ〜２ｄは実質的に同じ形状である。図５に示すように、後周壁４ａは膨出部４ａ１を有し、前周壁４ｃ下端には該膨出部４ａ１が入り込む切り欠き部４ｃ１が形成されている。また、図３に示すように、右周壁４ｂにも膨出部４ｂ１が形成され、左周壁４ｄには該膨出部４ｂ１が入り込む切り欠き部が形成される。これらの膨出部と切り欠き部は、複数枚の保水排水基盤材１を上下方向や左右方向に接続するときに利用される。なお、最下端側に位置することとなる保水排水基盤材１においては、切り欠き部４ｃ１が見切り材４１との係合部として用いられる。また、最も側方に位置することとなる保水排水基盤材１においては、該膨出部４ｂ１が入り込む切り欠き部は見切り材４３との係合部として用いられる。
【００５４】
単位保水部２は、前記第２隔壁５に直交する複数枚（図のものでは、７枚）の第１隔壁６により、内部が８個の保水用凹部７に区分けされている。図示のものでは、保水用凹部７を２分する第３隔壁８が第２隔壁５と平行に形成されていて、保水用凹部７を上保水用凹部７ａと下保水用凹部７ｂに区分けしているが、この第３隔壁８は省略してもよい。
【００５５】
各第１隔壁６には同じ深さの第１導水溝９が形成され、また、第３隔壁８にも同じ深さの第１導水溝１０が形成されている。図示のものでは、左右の周壁４ｂ，４ｄにも同じ深さの第１導水溝１１が形成されているが、これは、横方向に同じ保水排水基盤材１を接続して配置するときに、隣接する保水排水基盤材１への水の通路となるものであって、１個の保水排水基盤材１のみを使用する場合に省略されるか埋め込まれる。また、複数個を接続した場合でも、外周となる周壁においては同様に省略されるか埋め込まれる。
【００５６】
各第２隔壁５ａ〜５ｃには、保水用凹部７のすべてに対応する位置に、第１導水溝９よりも深さの浅い第２導水路１２が形成され、該第２導水路１２が位置する第２隔壁５の外側には縦溝１３が形成されている。後記するように、第２導水路１２を溢流した水は該縦溝１３を通って、下位に位置する単位保水部２の各保水用凹部７内に流入する。
【００５７】
図示のものでは、前周壁４ｃにも同じ深さの第２導水溝１４と縦溝１５が形成されているが、これは、上下方向（縦方向）に同じ保水排水基盤材１を接続して配置するときに、隣接する保水排水基盤材１への水の通路となるものであって、前記左右の周壁４ｂ，４ｄに形成した第１導水溝１１と同様、１個の保水排水基盤材１のみを使用する場合に省略されるか埋め込まれる。また、複数個を接続した場合に、外周となる前周壁においては同様に省略するか埋め込んでもよい。
【００５８】
上記のように、単位保水部２における各隔壁および周壁に対し導水溝が配置されることにより、各単位保水部同士が連結される。この単位保水部に充満するように水が供給された場合、導水溝の底面深さよりも水位が上がることはなく、各隔壁および周壁上端と導水溝底面深さとの間には必ず空間が形成されることとなる。この空間が必ず形成されることにより、保水排水基盤材は通気性能を持つことになる。
【００５９】
上記の構成であり、最上位に位置する単位保水部２ａのいずれかの保水用凹部７に図示しない吸水ホースから水を供給すると、その水は保水排水基盤材１のすべての保水用凹部７に流入していく。その一例を図６に示す。この例では、最上位に位置する単位保水部２ａの最も左側の上保水用凹部７ａ１にのみ給水しており、左右の周壁４ｂ，４ｄに形成した第１導水溝１１は適宜の手段により埋め込んである。
【００６０】
上保水用凹部７ａ１を満たした水は、第１隔壁６に形成した第１導水溝９を溢流して右隣の上保水用凹部７ａに、また、第３隔壁９に形成した第１導水溝１０を溢流して下保水用凹部７ｂ１に流入する。下保水用凹部７ｂ１を満たした水は第１導水溝９を溢流して右隣の下保水用凹部７ｂに流入し、下保水用凹部７ｂには第１導水溝１０を溢流した水が上保水用凹部７ａからも流入する。この状態が図６ａに示される。以下、同様にして水は第１隔壁６、１０を溢流して順次右側の保水用凹部７に流入していき、最上位に位置する単位保水部２ａのすべての保水用凹部７を満水とする。この状態が図６ｂに示される。第２隔壁５ａに形成した第２導水溝１２の深さは第１導水溝９よりも浅くされており、単位保水部２ａのすべての保水用凹部７が満水状態となるまで第２導水溝１２を越えて溢流することはない。
【００６１】
単位保水部２ａが満水となって後、さらに給水を続けると、水はすべての第２導水溝１２から一斉に溢流して、下流側に位置する単位保水部２ｂの上保水用凹部７ａ内に同時に流入する（図６ｃ）。上保水用凹部７ａを満たした水は同様にして第１導水溝１０を溢流して下保水用凹部７ｂ内に流入し、そこを満水とする（図６ｄ）。以下、同じようにして、単位保水部２ｃ、単位保水部２ｄに順次給水され、最後には、保水排水基盤材１を構成するすべての保水用凹部７は満水状態（保水状態）となる。ここで給水を停止すればその状態が維持される。さらに給水を継続すれば、単位保水部２ｄの前壁でもある前周壁４ｃに形成した第２導水溝１４を通して余分な水は排出される。第２導水溝１４を埋め込んだ場合には、単位保水部２ｄの左右の周壁４ｂ，ｄと前周壁ｃを溢流して余分な水は排出される。
【００６２】
なお、上記の説明では、最上位に位置する単位保水部２ａの最も左側の上保水用凹部７ａ１にのみ給水する例を説明したが、単位保水部２ａの複数個あるいはすべての上保水用凹部７ａに同時に給水するようにしてもよい。その場合には、保水排水基盤材１のすべての保水用凹部７を満水状態（保水状態）とするまでの時間を短縮される。
【００６３】
保水排水基盤材１は上記の構成であり、図１に示す緑化構造物においては、給水は最上位に位置する保水排水基盤材１Ｔに対してのみ、上記のようにして行えばよい。横方向に複数個の保水排水基盤材１を接続する場合にも、そのいずれかの保水排水基盤材１に対してのみ行えばよい。最上位の保水排水基盤材１Ｔの保水用凹部７を満水とした水は、その前周壁４ｃに形成した第２導水溝１４を溢流して下流側の保水排水基盤材１に順次流入していき、１箇所からの給水でもって、必要とされるすべての保水排水基盤材１に対する給水が完了する。その間に無駄に排出される水はないので、効果的な給水が可能となる。
【００６４】
図７〜図９は、図１の実施形態で用いた保水排水基盤材１の第２の形態を示しており、図７は斜視図、図８は平面図、図９は図６に相当する図であり給水順を説明している。この保水排水基盤材１は、第２隔壁５に形成する第２導水溝１２が、すべての保水用凹部７に対してではなく、特定の保水用凹部７Ｐ（図では４箇所の保水用凹部７Ｐ）にのみ形成されていること、また、前周壁４ｃにも、同様に特定の保水用凹部７Ｐ（図では４箇所の保水用凹部７Ｐ）にのみ形成されていること、でのみ、図３〜図６で説明した第１の形態の保水排水基盤材１と相違している。なお、同じ機能を奏する部材には図３〜図６と同じ符号を付し、説明は省略する。
【００６５】
この形態の保水排水基盤材１では、図９に示されるように、上流の単位保水部２（例えば、単位保水部２ａ）を満たし（図９ｂ）、そこからあふれ出る水は、４箇所の保水用凹部７Ｐからのみ下流の単位保水部２（例えば、単位保水部２ｂ）の４つの保水用凹部７Ｐに流れ込み（図９ｃ）、そこから溢流する水により単位保水部２ｂの他の保水用凹部７は給水される。この形態では、比較してすべての保水用凹部７に給水が完了する時間は長くなるが、確実に無駄なく給水できる利点がある。
【００６６】
次に、図２の実施形態で用いた保水排水基盤材１Ａについて説明する。図１０は斜視図、図１１は平面図、図１２は図１１のａ−ａ線による断面図である。この保水排水基盤材１Ａは、複数の単位保水部２の上面が同じ平面内にあり、かつ底面３と平行な面となっていること、および第３の隔壁を備えず、各保水用凹部７はすべて１つの室であること、各保水用凹部７は横幅と縦幅の比が比較的大きな直方体形状をなしていること、において、上記した保水排水基盤材１と構成を異にしており、他の構成は実質的に同じである。保水排水基盤材１におけると同じ機能を奏する部材には同じ符号を付し、詳細な説明は省略する。
【００６７】
保水排水基盤材１Ａにおいて、１つの単位保水部２は、後周壁４ａと前周壁４ｃとの間に位置する多数（図のものでは、１５枚）の横方向に走る第２隔壁５により、内部が１６個の単位保水部２Ａに区分けされている。各単位保水部２Ａは実質的に同じ形状であり、第２隔壁５に直交する複数枚（図のものでは、３枚）の第１隔壁６により、内部が４個の保水用凹部７に区分けされている。この例では、保水用凹部７の縦横比は１：５程度である。第１隔壁６には同じ深さの第１導水溝９が形成され、また、第２隔壁５には第１導水溝９よりも深さの浅い第２導水路１２が１つの保水用凹部７に対して複数個の形成されている。左右の周壁４ｂ，４ｄに形成される第１導水溝１１、前後の後周壁４ａ，４ｃに形成される第２導水溝１４が省略可能なことも、保水排水基盤材１の場合と同様である。
【００６８】
この場合も、植物の栽培に際し、給水は、最上位に位置する保水排水基盤材１ＡＴの最上位の単位保水部２におけるいずれかの保水用凹部７に対してのみ行えばよい。最上位の４つの保水用凹部７を満たした後、水は順次下流側の単位保水部２の保水用凹部７を満たしながら流下していき、最上位の保水排水基盤材１ＡＴのすべての保水用凹部７は満水となる。その後、その前周壁４ｃに形成した第２導水溝１４を溢流して下流側の保水排水基盤材１Ａに順次流入していく。ここでも、１箇所からの給水でもって、必要とされるすべての保水排水基盤材１Ａに対する給水は完了し、その間に無駄に排出される水はない。各保水用凹部７の縦横比が大きくなっていることから、傾斜姿勢であっても、各保水用凹部７には十分な量の水が蓄えられる。
【００６９】
なお、図示しないが、この保水排水基盤材１Ａは、水平姿勢にある人工地盤の上に配置して植生を行うこともできる。その場合にも、同様にして不織布が固定され、植生マット５０がその上に載置される。その際に、給水ホースによる給水は、任意の箇所の単位保水部２Ａの任意の保水用凹部７からを開始してもよい。また、複数箇所の単位保水部２Ａから給水を行うようにしてもよい。いずれの場合も、水は、順次第１導水溝から第２導水溝を溢流して、すべての保水用凹部は満水となる。ここでも、その間に、水が無駄に排出されることはない。
【００７０】
図示しないが、図３に示した単位保水部２の上面が階段状に位置している形態の保水排水基盤材１において、底面を傾斜面とせずに、横から見た状態で概略三角形をなす形状としてもよい。この場合には、水平姿勢の人工地盤の上に載置しても、各単位保水部の上面は階段状に位置することとなり、観賞用の植生植物を栽培するときなどに、好適なディスプレイ状態が得られる。
【図面の簡単な説明】
【００７１】
【図１】本発明による人工地盤上での緑化方法により構築された緑化構造物の一例を示す断面図と部分拡大図。
【図２】他の実施形態の緑化構造物を示す断面図と部分拡大図。
【図３】図１に示した緑化構造物で使用した保水排水基盤材を示す斜視図。
【図４】図３の平面図。
【図５】図４のａ−ａ線による断面図。
【図６】図３に示す保水排水基盤材の給水順を説明する図。
【図７】図１に示した緑化構造物で使用する保水排水基盤材の第２の形態を示す斜視図。
【図８】図７の平面図。
【図９】第２の形態の保水排水基盤材における給水順を説明する図。
【図１０】図２に示した緑化構造物で使用した保水排水基盤材を示す斜視図。
【図１１】図１０の平面図。
【図１２】図１１のａ−ａ線による断面図。
【図１３】従来の保水排水基盤材の一例を示す図。
【符号の説明】
【００７２】
１、１Ａ…保水排水基盤材、２…単位保水部、３…底面、４…周壁、５…第２隔壁、６…第１隔壁、７…保水用凹部、９、１１…第１導水溝、１２、１４…第２導水溝、３０…人工地盤、３１…透水性シート（不織布）、３２…釘、４１…下辺見切り材、４２…上辺見切り材、４３…側面見切り材、５０…植生マット、５１…植物、５２…土壌、５３…植物の根
【図１】
2005261294.tif 000003
【図２】
2005261294.tif 000004
【図３】
2005261294.tif 000005
【図４】
2005261294.tif 000006
【図５】
2005261294.tif 000007
【図６】
2005261294.tif 000008
【図７】
2005261294.tif 000009
【図８】
2005261294.tif 000010
【図９】
2005261294.tif 000011
【図１０】
2005261294.tif 000012
【図１１】
2005261294.tif 000013
【図１２】
2005261294.tif 000014
【図１３】
2005261294.tif 000015